(57)【特許請求の範囲】
【請求項１】
ヘッドエンドシステムと、第１順位のデコーダ装置と、１つ以上の第２順位のデコーダ装置とを備えると共に、前記ヘッドエンドシステムが前記第１順位のデコーダ装置及び前記１つ以上の第２順位のデコーダ装置に対して通信するように接続されたシステムにおける、前記１つ以上の第２順位のデコーダ装置を活性化するための方法であって、
前記方法が、
前記ヘッドエンドシステムが、前記第１順位のデコーダ装置を活性化する段階（１０１）と、
前記ヘッドエンドシステムが、前記第２順位のデコーダ装置を初期化する段階（１０２）と、
前記第１順位のデコーダ装置が、初期化された前記第２順位のデコーダ装置を活性化する段階（２００）とを有し、
前記第１順位のデコーダ装置が、第１順位のスマートカードと通信するように構成された第１順位のインタフェースを備えると共に、
前記第２順位のデコーダ装置が、第２順位のスマートカードと通信するように構成された第２順位のインタフェースを備え、
前記方法が、更に、
前記第１順位のスマートカードにおいて、前記ヘッドエンドシステムから、活性化メッセージを受信する段階（４０１）と、
前記第１順位のスマートカードにおいて、前記活性化メッセージを使用して、第１の活性化データを生成する段階（４０２）と、
前記第１の活性化データを、前記第１順位のインタフェースを通して、前記第１順位のデコーダ装置に対して提供する段階（４０３）と、
前記第１の活性化データを使用して、前記第１順位のデコーダ装置を活性化する段階（２０１）と、
前記第２順位のスマートカードにおいて、前記ヘッドエンドシステムから、初期化メッセージを受信する段階（５０１）と、
前記第２順位のスマートカードにおいて、前記初期化メッセージを使用して、初期化データを生成する段階（５０２）と、
前記初期化データを、前記第２順位のインタフェースを通して、前記第２順位のデコーダ装置に対して提供する段階（５０３）と、
前記初期化データを使用して、前記第２順位のデコーダ装置を初期化する段階（３０１）と、
前記第１順位のスマートカードにおいて、第２の活性化データを生成する段階（４０４）と、
前記第２の活性化データを、前記第１順位のインタフェースを通して、前記第１順位のデコーダ装置に対して提供する段階（４０５）と、
前記第２の活性化データを、前記第１順位のデコーダ装置から、前記第２順位のスマートカードに対して提供する段階（２０２）と、
前記第２の活性化データを、前記第２順位のスマートカードから、前記第２順位のインタフェースを通して、前記第２順位のデコーダ装置に対して提供する段階（５０４）と、
前記第２の活性化データを使用して、前記第２順位のデコーダ装置を活性化する段階（３０２）とを有し、
前記第１順位のスマートカードが、第１のタイマを備え、
前記方法が、更に、
前記活性化メッセージに含まれる第１のタイマ値を使用して、前記第１のタイマを設定する段階（４０５）と、
前記第１のタイマを活性化する段階（４０６）と、
前記第１のタイマ値の満了と同時に、更新された第２の活性化データを、前記第１順位のデコーダ装置から前記第２順位のスマートカードに対して提供する段階（２０２）とを有する
ことを特徴とする方法。
【請求項２】
前記第１順位のインタフェースが、更に、前記第２順位のスマートカードと通信するように構成され、
前記第２の活性化データを、前記第１順位のデコーダ装置から、前記第１順位のインタフェースを通して、前記第２順位のスマートカードに対して提供する（２０２）
ことを特徴とする請求項１に記載の方法。
【請求項３】
前記第１順位のデコーダ装置が、前記第２順位のデコーダ装置に対して通信するように接続され、
前記第２の活性化データを、前記第１順位のデコーダ装置から、前記第１順位のデコーダ装置と前記第２順位のデコーダ装置との間の通信リンクを通して、前記第２順位のスマートカードに対して提供する（２０２）
ことを特徴とする請求項１に記載の方法。
【請求項４】
前記第２順位のスマートカードが、第２のタイマを備え、
前記方法が、更に、
前記初期化メッセージに含まれる第２のタイマ値を使用して、前記第２のタイマを設定する段階（５０５）と、
前記第２のタイマを活性化する段階（５０６）と、
前記第２のタイマ値の満了と同時に、更新された第２の活性化データが前記第２順位のスマートカードにおいて受信されるまで、前記第２順位のデコーダ装置を非活性化する段階（５０８）とを有する
ことを特徴とする請求項１から請求項３のいずれか一項に記載の方法。
【請求項５】
ヘッドエンドシステム（１）と、第１順位のスマートカード（４）と通信するように構成された第１順位のインタフェース（２１）を有する第１順位のデコーダ装置（２）と、第２順位のスマートカード（５）と通信するように構成された第２順位のインタフェース（３１）を有する１つ以上の第２順位のデコーダ装置（３）とを備えると共に、前記ヘッドエンドシステム（１）が前記第１順位のデコーダ装置（２）及び前記１つ以上の第２順位のデコーダ装置（３）に対して通信するように接続されたシステムにおける、前記１つ以上の第２順位のデコーダ装置（３）を活性化するためのヘッドエンドシステム（１）であって、
前記ヘッドエンドシステム（１）が、
前記１つ以上の第２順位のスマートカード（５）を前記第１順位のスマートカード（４）に関連付けるように構成されたスマートカード管理モジュール（１１）と、
前記第１順位のスマートカード（４）に対して活性化メッセージを提供することによって、前記第１順位のデコーダ装置（２）を活性化するように構成された活性化モジュール（１２）と、
前記第２順位のスマートカード（５）に対して初期化メッセージを提供することによって、前記第２順位のデコーダ装置（３）を初期化するように構成された初期化モジュール（１３）とを備え、
前記活性化メッセージが、前記第１順位のスマートカード（４）内の第１のタイマ（４１）を設定するための第１のタイマ値を含み、
前記初期化メッセージが、前記第２順位のスマートカード（５）内の第２のタイマ（５１）を設定するための第２のタイマ値を含む
ことを特徴とするヘッドエンドシステム。
【請求項６】
ヘッドエンドシステム（１）と、第１順位のスマートカード（４）と通信するように構成された第１順位のインタフェース（２１）を有する第１順位のデコーダ装置（２）と、第２順位のスマートカード（５）と通信するように構成された第２順位のインタフェース（３１）を有する１つ以上の第２順位のデコーダ装置（３）とを備えたシステムにおいて使用するための第２順位のスマートカード（５）であって、
前記第２順位のスマートカード（５）が、
前記ヘッドエンドシステムから初期化メッセージを受信するように構成されると共に、更に、前記第１順位のスマートカード（４）から、前記第１順位のデコーダ装置（２）の仲介によって、活性化データを受信するように構成された受信機（５２）と、
前記初期化メッセージを使用して、初期化データを生成するように構成されたプロセッサ（５３）と、
前記第２順位のデコーダ装置（３）を初期化するために、前記初期化データを、前記第２順位のインタフェース（３１）を通して、前記第２順位のデコーダ装置（３）に対して提供するように構成されると共に、更に、前記第２順位のデコーダ装置（３）を活性化するために、前記活性化データを、前記第２順位のインタフェース（３１）を通して、前記第２順位のデコーダ装置（３）に対して提供するように構成された送信機（５４）とを備え、
更に、タイマ（５１）を有し、
前記プロセッサ（５３）が、更に、前記初期化メッセージに含まれるタイマ値を使用して、前記タイマ（５１）を設定すると共に、前記タイマ（５１）を活性化するように構成され、
前記第２順位のスマートカード（５）が、前記タイマ値の満了と同時に、前記第１順位のスマートカード（４）から更新された活性化データが受信されるまで、前記第２順位のデコーダ装置（３）を非活性化するように構成される
ことを特徴とする第２順位のスマートカード。
【請求項７】
前記受信機（５２）が、前記第１順位のスマートカード（４）から、前記第１順位のデコーダ装置（２）の仲介によって、前記第１順位のインタフェース（２１）を通して、前記活性化データを受信するように構成される
ことを特徴とする請求項６に記載の第２順位のスマートカード。
【請求項８】
前記受信機（５２）が、前記第１順位のスマートカード（４）から、前記第１順位のデコーダ装置（２）の仲介によって、前記第１順位のデコーダ装置（２）と前記第２順位のデコーダ装置（３）との間の通信リンク及び前記第２順位のインタフェース（３１）を通して、前記活性化データを受信するように構成される
ことを特徴とする請求項６に記載の第２順位のスマートカード。
【発明の詳細な説明】
【技術分野】
【０００１】
本発明は、１つ以上の第２順位のデコーダ装置を活性化するための方法、１つ以上の第２順位のデコーダ装置を活性化するためのヘッドエンドシステム、第２順位のスマートカード及びデコーダ装置に関連する。
【背景技術】
【０００２】
条件付きのアクセスシステムは、一般的に、有料テレビのようなサービスに対する条件付きのアクセスを提供するために使用される。条件付きのアクセスシステムでは、スクランブルされたテレビ信号が、ヘッドエンドシステムからデコーダ装置に対して送信される。有料テレビサービスのエンドユーザは、スクランブルされたテレビ信号をデスクランブルすることを条件付きで可能にするために、スマートカードをデコーダ装置に挿入する。スマートカードは、許可情報を有するヘッドエンドシステムから、エンタイトルメントマネージメントメッセージ（entitlement management message：ＥＭＭ）を受信する。もしエンドユーザが、例えば彼が正当な購読契約を有していることで、許可されるならば、ヘッドエンドシステムからスマートカードに対して送信された、暗号化されたエンタイトルメントコントロールメッセージ（entitlement control message：ＥＣＭ）が、スマートカードにおいて解読される。これによって、制御語（control word：ＣＷ）がＥＣＭから取り出される。制御語は、デコーダ装置に対して送信され、デコーダ装置では、スクランブルされたテレビ信号をデスクランブルするために制御語が使用される。デスクランブルされたテレビ信号は、テレビ受信機、パーソナルコンピュータ（ＰＣ）、または携帯電話のような端末上で見ることができるか、あるいはビデオレコーダ（ビデオ記録装置）に記録されることができる。
【０００３】
挿入されたスマートカードを備えるデコーダ装置は、一般的に、１つの端末だけが接続されることを許可する。従って、各端末は、スクランブルされたテレビ信号をデスクランブルすることを可能にするために、専用のデコーダ装置とスマートカードを必要とする。スマートカードにおけるＥＣＭの解読を可能にするために、各スマートカードに対して、許可が必要とされる。これは、例えば２台のテレビ受信機を有するエンドユーザは、各スマートカードに対して１つ、合計で２つの購読契約を必要とすることを意味する。
【０００４】
各スマートカードは、単独で動作するスマートカードとして機能する。エンドユーザの許可の変更と共に、各スマートカードは、スマートカードの許可を更新するために、ＥＭＭを受信する。例えば、複数のデコーダ装置を有するエンドユーザが有料テレビサービスに申し込む場合に、デコーダ装置において使用することを対象とした各スマートカードは、ＥＣＭを解読すると共に、それによってデコーダ装置におけるテレビ信号のデスクランブリングを効率的に活性化することを可能にするために、ＥＭＭを受信する。
【発明の概要】
【発明が解決しようとする課題】
【０００５】
１つ以上の第２順位のデコーダ装置を活性化するための改良された方法及びシステムを提供することが、本発明の目的である。
【課題を解決するための手段】
【０００６】
本発明の特徴によれば、１つ以上の第２順位のデコーダ装置を活性化するための方法が提供される。前記方法は、ヘッドエンドシステムと、第１順位のデコーダ装置と、１つ以上の第２順位のデコーダ装置とを備えたシステムにおいて使用される。前記ヘッドエンドシステムは、前記第１順位のデコーダ装置及び前記１つ以上の第２順位のデコーダ装置に対して通信するように接続される。前記方法は、前記ヘッドエンドシステムが、前記第１順位のデコーダ装置を活性化する段階を有する。前記方法は、更に、前記ヘッドエンドシステムが、前記第２順位のデコーダ装置を初期化する段階を有する。前記方法は、更に、前記第１順位のデコーダ装置が、初期化された前記第２順位のデコーダ装置を活性化する段階を有する。前記第１順位のデコーダ装置は、第１順位のスマートカードと通信するように構成された第１順位のインタフェースを備えると共に、前記第２順位のデコーダ装置は、第２順位のスマートカードと通信するように構成された第２順位のインタフェースを備える。前記方法は、更に、前記第１順位のスマートカードにおいて、前記ヘッドエンドシステムから、活性化メッセージを受信する段階を有する。前記方法は、更に、前記第１順位のスマートカードにおいて、前記活性化メッセージを使用して、第１の活性化データを生成する段階を有する。前記方法は、更に、前記第１の活性化データを、前記第１順位のインタフェースを通して、前記第１順位のデコーダ装置に対して提供する段階を有する。前記方法は、更に、前記第１の活性化データを使用して、前記第１順位のデコーダ装置を活性化する段階を有する。前記方法は、更に、前記第２順位のスマートカードにおいて、前記ヘッドエンドシステムから、初期化メッセージを受信する段階を有する。前記方法は、更に、前記第２順位のスマートカードにおいて、前記初期化メッセージを使用して、初期化データを生成する段階を有する。前記方法は、更に、前記初期化データを、前記第２順位のインタフェースを通して、前記第２順位のデコーダ装置に対して提供する段階を有する。前記方法は、更に、前記初期化データを使用して、前記第２順位のデコーダ装置を初期化する段階を有する。前記方法は、更に、前記第１順位のスマートカードにおいて、第２の活性化データを生成する段階を有する。前記方法は、更に、前記第２の活性化データを、前記第１順位のインタフェースを通して、前記第１順位のデコーダ装置に対して提供する段階を有する。前記方法は、更に、前記第２の活性化データを、前記第１順位のデコーダ装置から、前記第２順位のスマートカードに対して提供する段階を有する。前記方法は、更に、前記第２の活性化データを、前記第２順位のスマートカードから、前記第２順位のインタフェースを通して、前記第２順位のデコーダ装置に対して提供する段階を有する。前記方法は、更に、前記第２の活性化データを使用して、前記第２順位のデコーダ装置を活性化する段階を有する。前記第１順位のスマートカードは、更に、第１のタイマを備える。前記方法は、更に、前記活性化メッセージに含まれる第１のタイマ値を使用して、前記第１のタイマを設定する段階を有する。前記方法は、更に、前記第１のタイマを活性化する段階を有する。前記方法は、更に、前記第１のタイマ値の満了と同時に、更新された第２の活性化データを、前記第１順位のデコーダ装置から前記第２順位のスマートカードに対して提供する段階を有する。
【０００７】
従って、本発明の方法は、第１順位のデコーダ装置を活性化すると共に、１つ以上の第２順位のデコーダ装置を初期化することによって、どのデコーダ装置が、例えばスクランブルされたテレビ信号をデスクランブルするために使用され得るか、どの第１順位のデコーダ装置が、第２順位のデコーダ装置の活性化を制御するかを、有利に、ヘッドエンドシステムが制御することを可能にする。第１順位のデコーダ装置及び第２順位のデコーダ装置は、一般的に、エンドユーザの施設に設置されると共に、一般的に、視聴するか、及び／またはデコーダ装置に接続された端末に記録するために、有料テレビ信号をデスクランブルするのに使用される。有利に、エンドユーザは、各第２順位のデコーダ装置に対する独立した購読契約を必要とせずに、第２順位のデコーダ装置を使用することができる。その代りに、購読契約が第１順位のデコーダ装置と関連付けられ得ると共に、一方で第２順位のデコーダ装置に対して、購読契約が例えば割引料金で提示される。本発明は、有利に、スマートカードを使用することによって、第１順位のデコーダ装置の活性化と、第２順位のデコーダ装置の初期化と活性化を可能にする。スマートカードを使用する場合に、購読契約は、一般的に、スマートカードと関連付けられる。一般的に、第１順位のスマートカードと第２順位のスマートカードは、物理的に同一である。スマートカードは、ヘッドエンドシステムから活性化メッセージを受け取ることによって、第１順位のスマートカードになる。スマートカードは、第１順位のデコーダ装置から活性化メッセージを受け取ることによって、第２順位のスマートカードになる。タイマは、有利に、ヘッドエンドシステムの制御下において、第１順位のデコーダ装置が第２順位のデコーダ装置を再度活性化することを可能にする。
【０００８】
請求項２及び請求項７の実施例は、有利に、第２順位のスマートカードを第１順位のデコーダ装置に挿入することによって、第２順位のデコーダ装置を活性化するために使用される第２の活性化データが、第２順位のスマートカード上に配置されることを可能にする。
【０００９】
請求項３及び請求項８の実施例は、有利に、第２順位のスマートカードを第２順位のデコーダ装置に挿入することによって、第２順位のデコーダ装置を活性化するために使用される第２の活性化データが、第２順位のスマートカード上に配置されることを可能にする。
【００１０】
請求項４の実施例は、有利に、ヘッドエンドシステムの制御下において、第２順位のデコーダ装置が活性化及び非活性化されることを可能にする。
【００１１】
本発明の特徴によれば、１つ以上の第２順位のデコーダ装置を活性化するためのヘッドエンドシステムが提供される。前記ヘッドエンドシステムは、ヘッドエンドシステムと、第１順位のデコーダ装置と、第２順位のデコーダ装置とを備えたシステムにおいて使用される。前記第１順位のデコーダ装置は、第１順位のスマートカードと通信するように構成された第１順位のインタフェースを有する。前記第２順位のデコーダ装置は、第２順位のスマートカードと通信するように構成された第２順位のインタフェースを有する。前記ヘッドエンドシステムは、前記第１順位のデコーダ装置及び前記１つ以上の第２順位のデコーダ装置に対して通信するように接続される。前記ヘッドエンドシステムは、前記第１順位のスマートカードに対して活性化メッセージを提供することによって、前記第１順位のデコーダ装置を活性化するように構成された活性化モジュールを備える。前記ヘッドエンドシステムは、更に、前記第２順位のスマートカードに対して初期化メッセージを提供することによって、前記第２順位のデコーダ装置を初期化するように構成された初期化モジュールを備える。前記活性化メッセージは、前記第１順位のスマートカード内の第１のタイマを設定するための第１のタイマ値を含む。前記初期化メッセージは、前記第２順位のスマートカード内の第２のタイマを設定するための第２のタイマ値を含む。
【００１２】
従って、本発明は、第１順位のデコーダ装置を活性化すると共に、１つ以上の第２順位のデコーダ装置を初期化することによって、どのデコーダ装置が、例えばスクランブルされたテレビ信号をデスクランブルするために使用され得るかを、有利に、ヘッドエンドシステムが制御することを可能にする。第１順位のデコーダ装置及び第２順位のデコーダ装置は、一般的に、エンドユーザの施設に設置されると共に、一般的に、視聴するか、及び／またはデコーダ装置に接続された端末に記録するために、有料テレビ信号をデスクランブルするのに使用される。有利に、エンドユーザは、各第２順位のスマートカードに対する独立した購読契約を必要とせずに、第２順位のデコーダ装置を使用することができる。その代りに、購読契約が第１順位のスマートカードと関連付けられ得ると共に、一方で第２順位のスマートカードに対して、購読契約が例えば割引料金で提示される。本発明は、有利に、ヘッドエンドシステムが、第２順位のデコーダ装置の非活性化のために、第２順位のデコーダ装置を制御すると共に、第２順位のデコーダ装置の再度の活性化のために、第１順位のデコーダ装置を制御することを可能にする。
【００１３】
本発明の特徴によれば、ヘッドエンドシステムと、第１順位のデコーダ装置と、１つ以上の第２順位のデコーダ装置とを備えたシステムにおいて使用するための第２順位のスマートカードが提供される。前記第１順位のデコーダ装置は、第１順位のスマートカードと通信するように構成された第１順位のインタフェースを有する。前記第２順位のデコーダ装置は、第２順位のスマートカードと通信するように構成された第２順位のインタフェースを有する。前記第２順位のスマートカードは、前記ヘッドエンドシステムから初期化メッセージを受信するように構成された受信機を備える。前記受信機は、更に、前記第１順位のスマートカードから、前記第１順位のデコーダ装置の仲介によって、活性化データを受信するように構成される。前記第２順位のスマートカードは、更に、前記初期化メッセージを使用して、初期化データを生成するように構成されたプロセッサを備える。前記第２順位のスマートカードは、更に、前記第２順位のデコーダ装置を初期化するために、前記初期化データを、前記第２順位のインタフェースを通して、前記第２順位のデコーダ装置に対して提供するように構成された送信機を備える。前記送信機は、更に、前記第２順位のデコーダ装置を活性化するために、前記活性化データを、前記第２順位のインタフェースを通して、前記第２順位のデコーダ装置に対して提供するように構成される。前記第２順位のスマートカードは、更に、タイマを備える。前記プロセッサは、更に、前記初期化メッセージに含まれるタイマ値を使用して、前記タイマを設定すると共に、前記タイマを活性化するように構成される。前記第２順位のスマートカードは、前記第２のタイマ値の満了と同時に、前記第１順位のスマートカードから更新された活性化データが受信されるまで、前記第２順位のデコーダ装置を非活性化するように構成される。
【００１４】
従って、本発明の第２順位のスマートカードは、有利に、ヘッドエンドシステムの制御下において、第２順位のデコーダ装置の初期化を可能にすると共に、第１順位のデコーダ装置の制御下において、第２順位のデコーダ装置の活性化を可能にする。
【図面の簡単な説明】
【００１５】
【図１】本発明の代表的な実施例の条件付きのアクセスシステムにおけるヘッドエンドシステムを示す図である。
【図２ａ】本発明の代表的な実施例の方法の手順を示す図である。
【図２ｂ】本発明の代表的な実施例の方法の手順を示す図である。
【図３ａ】本発明の代表的な実施例の条件付きのアクセスシステムにおける第２順位のスマートカードを示す図である。
【図３ｂ】本発明の代表的な実施例の条件付きのアクセスシステムにおける第２順位のスマートカードを示す図である。
【図４】本発明の代表的な実施例の方法の手順を示す図である。
【図５】本発明の代表的な実施例の方法の手順を示す図である。
【図６】本発明の代表的な実施例の方法の手順を示す図である。
【発明を実施するための形態】
【００１６】
本発明の特徴は、添付の図面において示された代表的な実施例を参照することによって、より詳細に説明されることになる。
【００１７】
エンドユーザは、一般的に、テレビ信号を視聴するか、または記録するために、複数の端末を所有している。第１のテレビ受信機及びビデオレコーダは、例えば居間に配置され、一方第２のテレビ受信機は寝室に配置されている。スクランブルされた有料テレビ信号を視聴すると共に記録することができるように、例えばセットトップボックスのようなデコーダ装置が、各テレビ受信機及びビデオレコーダに接続される。第１のテレビ受信機と接続されたセットトップボックスは、第１順位のデコーダ装置として機能する。ビデオレコーダに接続されたセットトップボックスと、第２のテレビ受信機に接続されたセットトップボックスは、第２順位のデコーダ装置として機能する。エンドユーザのデコーダ装置のグループにおいて定義された第１順位のセットトップボックスが１つだけである限り、セットトップボックスの内のいずれか１つを、第１順位のデコーダ装置として機能させることができる。以下の例において、デコーダ装置のグループは、同様に、ホームネットワークと呼ばれる。
【００１８】
第１順位のセットトップボックスは、サービスプロバイダのヘッドエンドシステムによって活性化され、一方、第２順位のセットトップボックスは、ヘッドエンドシステムによって初期化される。初期化の後で、第２順位のセットトップボックスは、第１順位のセットトップボックスによって活性化される。後述されるように、セットトップボックスは、スマートカードの仲介によって、初期化されると共に、活性化される。ヘッドエンドシステムから送信される活性化メッセージ及び初期化メッセージは、一般的に、エンタイトルメントマネージメントメッセージ（entitlement management message：ＥＭＭ）に含まれて送信される。
【００１９】
第１順位または第２順位のセットトップボックスが活性化されるとき、それは、スクランブルされたテレビ信号をデスクランブルする準備ができている。活性化されるとき、スクランブルされたテレビ信号と共に受信されたエンタイトルメントコントロールメッセージ（entitlement control message：ＥＣＭ）が、スマートカードによって解読されると共に、ＥＣＭから獲得された制御語が、スマートカードからセットトップボックスのデスクランブラに対して渡される。これは、デスクランブラが、スクランブルされたテレビ信号をデスクランブルすることを可能にする。第２順位のセットトップボックスが初期化されるとき、それは、第１順位のセットトップボックスから、第２順位のスマートカードの仲介によって、活性化データを受信する準備ができている。初期化されない場合、第２順位のセットトップボックスは、第１順位のセットトップボックスから受信された活性化データを廃棄する。もう一つの方法として、第２順位のスマートカードが活性化データを廃棄すると共に、それは第２順位のセットトップボックスが活性化されないことに帰着する。
【００２０】
各セットトップボックスに対して、エンドユーザは、セットトップボックスの操作を許可するためにセットトップボックスに挿入されるべきであるスマートカードを受け取る。第１順位のデコーダ装置に使用されるスマートカードは、ヘッドエンドシステムから活性化メッセージを受信すると、第１順位のスマートカードになる。第２順位のデコーダ装置に使用されるスマートカードは、ヘッドエンドシステムから初期化メッセージを受信するか、及び／または第１順位のデコーダ装置から活性化メッセージを受信すると、第２順位のスマートカードになる。
【００２１】
もう一つの方法として、それらのスマートカードは、例えば表面実装型デバイス（surface mounted device：ＳＭＤ）として、セットトップボックス内に埋め込まれる。
【００２２】
エンドユーザは、スマートカードによるＥＣＭ処理を可能にするために、各スマートカードに関して購読料金を支払う。エンドユーザに販売されたスマートカードは、ヘッドエンドシステムのスマートカード管理モジュールにおいて管理される。スマートカード管理モジュールは、スマートカードのシリアル番号を保管すると共に、第１順位のスマートカードを第２順位のスマートカードに関連付ける。第１順位のスマートカードに対して完全な購読料金が適用されると、一方、第２順位のスマートカードに対しては、割り引かれた購読料金が適用される。
【００２３】
スマートカードを第１順位もしくは第２順位であると定義するために、エンドユーザは、サービスプロバイダに連絡する。エンドユーザは、ホームネットワーク内の各スマートカードのスマートカードシリアル番号を提供すると共に、どのスマートカードが第１順位のスマートカードとして使用される予定であるかを指示する。スマートカードのシリアル番号は、例えば文字で提供されてスマートカードに印刷され得るか、またはスマートカードがセットトップボックスに挿入されるとき、テレビ受信機を通してエンドユーザに提示され得る。スマートカード管理モジュールは、どのスマートカードが第１順位のスマートカードとして機能するかを記録すると共に、第２順位のスマートカードのシリアル番号を第１順位のスマートカードと関連付ける。もう一つの方法として、どのスマートカードが第１順位のスマートカードとして機能する予定であるかをサービスプロバイダが事前に定義すると共に、事前に定義された第１順位のスマートカードのシリアル番号と、事前に定義された第２順位のスマートカードのシリアル番号とをエンドユーザに提供する。
【００２４】
初めに、エンドユーザがスマートカードを購入するときに、第１順位のスマートカードと第２順位のスマートカードは、動作上同一であり得ると共に、それは、どのスマートカードが第１順位のスマートカードとして機能するか、または第２順位のスマートカードとして機能するかについて、まだそれが定義されていないことを意味する。スマートカード管理モジュールにおいてどのようにそのスマートカードが管理されるかに応じて、スマートカードは、ヘッドエンドシステムによって活性化されるときに第１順位のスマートカードになり得るか、あるいはヘッドエンドシステムによって初期化されるか、及び／または第１順位のデコーダ装置によって活性化されるときに第２順位のスマートカードになり得る。
【００２５】
図１は、本発明の代表的な実施例の条件付きのアクセスシステムの一部としてヘッドエンドシステムを示す図である。ヘッドエンドシステム１は、スマートカード管理モジュール１１、活性化モジュール１２、及び初期化モジュール１３を備える。
【００２６】
スマートカード管理モジュール１１は、スマートカードのシリアル番号を保管すると共に、第１順位のスマートカードを第２順位のスマートカードに関連付けるために使用される。対応するシリアル番号をデータベースに保存すると共に、データベースにおいて、どのシリアル番号が第１順位のスマートカードとして機能するスマートカードに属するかを指示することによって、第１順位のスマートカードは、例えば第２順位のスマートカードと関連付けられることができる。
【００２７】
ヘッドエンドシステム１は、第１順位のセットトップボックス２、及び第２順位のセットトップボックス３に対して通信するように接続される。ヘッドエンドシステム１とセットトップボックス２及び３との間のリンクは、ヘッドエンドシステムとエンドユーザの家庭（home：ホーム、家）との間の無線軌道（wireless trajectory）及び／または有線軌道（wired trajectory）、及びホームネットワーク内の無線軌道及び／または有線軌道のような、様々な中間リンクを含むことができる。ヘッドエンドシステム１は、第１順位のセットトップボックス２の仲介によって、第２順位のセットトップボックス３に対して通信するように接続されることが可能である。
【００２８】
第１順位のスマートカード４は、第１順位のセットトップボックス２と共に使用される。第２順位のスマートカード５は、第２順位のセットトップボックス３と共に使用される。スマートカード４及び５は、操作目的でセットトップボックス内に挿入されるべきである、例えばクレジットカードサイズのスマートカードである。セットトップボックスとスマートカードとの間の点線は、スマートカードがセットトップボックスに対して挿入可能であると共に、セットトップボックスから取り外し可能であることを示す。第１順位のセットトップボックス２は、第１順位のインタフェース２１を通して、第１順位のスマートカード４と通信を行う。第２順位のセットトップボックス３は、第２順位のインタフェース３１を通して、第２順位のスマートカード５と通信を行う。任意に、第１順位のスマートカードは第１のタイマ４１を備えると共に、第２順位のスマートカード５は第２のタイマ５１を備える。タイマの機能は、図５及び図６を参照して、詳細に説明されることになる。
【００２９】
ＥＭＭメッセージの形式の活性化メッセージは、活性化モジュール１２から、第１順位のセットトップボックス２と第１順位のインタフェース２１の仲介によって、第１順位のスマートカード４に対して送信される。第１順位のスマートカード４は、活性化メッセージを使用して、第１の活性化データを生成すると共に、活性化データを、第１順位のインタフェース２１の仲介によって、第１順位のセットトップボックスに対して提供する。第１の活性化データによって、第１順位のセットトップボックス２は活性化されると共に、スクランブルされたテレビ信号をデスクランブルする準備を行う。活性化メッセージは、ホームネットワーク内における第２順位のスマートカードのシリアル番号を含む。これらのシリアル番号は、活性化されるべき第２順位のスマートカードを確認するために使用されることになる。
【００３０】
ＥＭＭの形式の初期化メッセージは、初期化モジュール１３から、第２順位のセットトップボックス３と第２順位のインタフェース３１の仲介によって、第２順位のスマートカード５に対して送信される。第２順位のスマートカード５は、初期化データを生成すると共に、初期化データを、第２順位のインタフェース３１の仲介によって、第２順位のセットトップボックスに対して提供する。初期化データによって、第２順位のセットトップボックス３は初期化されると共に、活性化されるのを待つ。初期化メッセージは、第１順位のスマートカードのシリアル番号を含む。このシリアル番号は、第１順位のスマートカードを確認すると共に、第１順位のスマートカードから活性化データを受け付けるために使用されることになる。
【００３１】
図２ａは、本発明の代表的な実施例の１つ以上の第２順位のセットトップボックス３を活性化する手順を示す。ステップ１０１では、ヘッドエンドシステム１が、第１順位のセットトップボックス２を活性化する。ステップ１０２では、ヘッドエンドシステム１が、第２順位のセットトップボックス３を初期化する。ステップ２００では、第１順位のセットトップボックス２が、第２順位のセットトップボックス３を活性化する。
【００３２】
第１順位のセットトップボックス２を活性化するステップ１０１と、第２順位のセットトップボックス３を初期化するステップ１０２の順序は、選択的に変更され得る。これは、図２ｂにおいて例証される。
【００３３】
図３ａは、本発明の代表的な実施例の条件付きのアクセスシステムにおける第２順位のスマートカード５を示す。点線は、非永久接続であること、すなわちスマートカードがセットトップボックスに対して挿入可能であると共に、セットトップボックスから取り外し可能であることを示す。図３ａにおいて、第１順位のスマートカード４は、第１順位のセットトップボックス２に挿入される。第２順位のスマートカード５は、第１順位のセットトップボックス２と第２順位のセットトップボックス３の両方に挿入可能である。
【００３４】
図１に加えて、図３ａは、更に詳細に、第２順位のセットトップボックス３の初期化及び活性化に使用される、第２順位のスマートカード５内の構成要素を示す。プロセッサ５３は、受信機５２及び送信機５４に接続されている。プロセッサは、タイマ５１に対しても、同様に接続されている。タイマ５１の機能は、図５及び図６によって、詳細に説明されることになる。
【００３５】
第２順位のスマートカード５がヘッドエンドシステム１から初期化メッセージを受信することを可能にするために、第２順位のスマートカード５は、第２順位のセットトップボックス３に挿入される。初期化メッセージは、第２順位のインタフェース３１を通して、受信機５２において受信される。プロセッサ５３は、初期化メッセージを使用して、初期化データを生成すると共に、送信機５４を通して、初期化データは、第２順位のインタフェース３１の仲介によって、第２順位のセットトップボックス３に提供される。
【００３６】
第２順位のセットトップボックス３を活性化するために、第２順位のスマートカード５が第２順位のセットトップボックス３から取り外されると共に、第１順位のセットトップボックス２に挿入される。第１順位のスマートカード４は、これを可能にするために、一時的に第１順位のセットトップボックス２から取り外されなければならない可能性がある。第１順位のスマートカード４によって生成された第２の活性化データは、第１順位のスマートカード４が第１順位のセットトップボックス２から取り外される前に、第１順位のセットトップボックス２に保存される。第２順位のスマートカード５が第１順位のセットトップボックス２に挿入されるとき、第２順位のスマートカード５のシリアル番号が、ヘッドエンドシステム１から受信されたシリアル番号と比較される。もしシリアル番号が一致するならば、その場合に、第２順位のスマートカード５は、第１順位のセットトップボックス２によって活性化されることを許可される。更に、もし第２順位のスマートカード５が初期化される場合、第２順位のスマートカード５は、第１順位のインタフェース２１の仲介によって、第１順位のセットトップボックスから第２の活性化データを獲得する。
【００３７】
次に、第２順位のスマートカード５は、第１順位のセットトップボックス２から取り外されると共に、第２順位のセットトップボックス３に挿入される。第１順位のスマートカード４は、第１順位のセットトップボックス２に挿入される。第２順位のスマートカード５は、第２の活性化データを、送信機５４及び第２順位のインタフェース３１を通して、第２順位のセットトップボックス３に対して提供する。第２の活性化データによって、第２順位のセットトップボックス３は活性化されると共に、スクランブルされたテレビ信号をデスクランブルする準備を行う。
【００３８】
図３ｂにおいて、第２順位のスマートカード５は、第２順位のセットトップボックス３に挿入される。第１順位のセットトップボックス２と第２順位のセットトップボックス３は、通信するように接続される。この代表的実施例において、第２順位のスマートカード５は、第２順位のセットトップボックス３に挿入されたままで維持され得る。第２順位の活性化データは、第１順位のセットトップボックス２から、第１順位のセットトップボックスと第２順位のセットトップボックスとの間の通信リンク、及び第２順位のインタフェース３１を通して、第２順位のスマートカード５に対して提供される。
【００３９】
図４は、本発明の代表的な実施例の１つ以上の第２順位のセットトップボックス３を活性化する手順を示す。ブロック１０１における手順は、第１順位のセットトップボックス２の活性化に関連している。ブロック１０２における手順は、第２順位のセットトップボックス３の初期化に関連している。ブロック２００における手順は、第２順位のセットトップボックス３の活性化に関連している。
【００４０】
ステップ４０１では、第１順位のスマートカード４において、活性化メッセージがヘッドエンドシステム１から受信される。ステップ４０２では、第１順位のスマートカード４が、活性化メッセージを使用して、第１の活性化データを生成する。ステップ４０３では、第１の活性化データが、第１順位のインタフェース２１を通して、第１順位のセットトップボックス２に対して提供される。ステップ２０１では、第１順位のセットトップボックス２が、第１の活性化データを使用して活性化される。
【００４１】
ステップ５０１では、第２順位のスマートカード５において、初期化メッセージがヘッドエンドシステム１から受信される。ステップ５０２では、第２順位のスマートカード５が、初期化メッセージを使用して、初期化データを生成する。ステップ５０３では、初期化データが、第２順位のインタフェース３１を通して、第２順位のセットトップボックス３に対して提供される。ステップ３０１では、第２順位のセットトップボックス３が、初期化データを使用して初期化される。
【００４２】
ステップ４０４では、第１順位のスマートカード４が第２の活性化データを生成する。ステップ４０５では、第２の活性化データが、第１順位のインタフェース２１を通して、第１順位のセットトップボックス２に対して提供される。ステップ２０２では、第２の活性化データが、第２順位のスマートカード５に対して提供される。ステップ５０４では、第２の活性化データが、第２順位のスマートカード５から、第２順位のインタフェース３１を通して、第２順位のセットトップボックス３に対して提供される。ステップ３０２では、第２順位のセットトップボックス３が、第２の活性化データを使用して活性化される。
【００４３】
図５は、第１順位のスマートカード４の中の任意の第１のタイマ４１の機能を説明する。第１のタイマ４１は、ヘッドエンドシステム１から受信された活性化メッセージによって活性化される。図３ａまたは図３ｂに関して説明されるように、活性化メッセージによって提供されるか、または第１のタイマ４１において事前に定義される時間が経過した後で、第２順位のスマートカード５に対して提供されるべき更新された第２の活性化データが生成される。
【００４４】
ステップ４０１では、第１順位のスマートカード４において、活性化メッセージがヘッドエンドシステム１から受信される。ステップ４０５では、活性化メッセージから第１のタイマ値が獲得され、それは第１のタイマ４１を設定するために使用される。第１のタイマ値は、例えば値が６００であり、それは第１のタイマ４１を６００［秒］に設定するために使用される。ステップ４０６では、第１のタイマ４１が活性化される。ステップ４０７では、第１のタイマは、第１のタイマ４１の状態をチェックする。もし６００［秒］が経過していたならば、第２順位のスマートカード５に対して更新された第２の活性化データが提供されると共に、第１のタイマ４１が再度６００［秒］に設定される。
【００４５】
図６は、第２順位のスマートカード５の中の任意の第２のタイマ５１の機能を説明する。第２のタイマ５１は、ヘッドエンドシステム１から受信された初期化メッセージによって活性化される。初期化メッセージによって提供されるか、または第２のタイマ５１において事前に定義される時間が経過した後で、第２順位のスマートカード５によって第２順位のセットトップボックス３が非活性化される。図３ａまたは図３ｂにおいて活性化データに関して説明されるように、第２の活性化データを使用した活性化と同様に、第２順位のセットトップボックス３は、更新された第２の活性化データによって、再度活性化される。
【００４６】
ステップ５０１では、第２順位のスマートカード５において、初期化メッセージが、ヘッドエンドシステム１から受信される。ステップ５０５では、初期化メッセージから第２のタイマ値が獲得され、それは第２のタイマ５１を設定するために使用される。第２のタイマ値は、例えば値が９００であり、それは第２のタイマ５１を９００［秒］に設定するために使用される。ステップ５０６では、第２のタイマ５１が活性化される。ステップ５０７では、第２のタイマは、第２のタイマ５１の状態をチェックする。もし９００［秒］が経過していたならば、更新された第２の活性化データが受信されるまで、第２順位のセットトップボックス３が非活性化される。図５に関して説明されるように、更新された第２の活性化データは、例えば第１のタイマ４１における第１のタイマ値が満了すると受信される。ステップ５０９では、第２順位のスマートカード５が、第２の活性化データが受信されたか否かをチェックする。第２の活性化データを受信すると、第２順位のセットトップボックス３が活性化されると共に、第２のタイマ５１が再度９００［秒］に設定される。
【００４７】
本発明が、図面及び前述の記述において、例証されると共に詳細に説明される一方、そのような例証及び説明は、実例であるか、または模範的であり、そして制限的ではなく、本発明は開示された実施例に制限されない、と考えられるべきである。開示された実施例に対する他の変種は、本発明を実施する際に、適切な図面の検討、本開示、そして添付された請求項から、当業者によって理解されると共に達成され得る。
【符号の説明】
【００４８】
１    ヘッドエンドシステム
２    第１順位のセットトップボックス
３    第２順位のセットトップボックス
４    第１順位のスマートカード
５    第２順位のスマートカード
１１    スマートカード管理モジュール
１２    活性化モジュール
１３    初期化モジュール
２１    第１順位のインタフェース
３１    第２順位のインタフェース
４１    第１のタイマ
５１    第２のタイマ
５２    受信機
５３    プロセッサ
５４    送信機
【図１】
0005336253.tif 000002
【図２ａ】
0005336253.tif 000003
【図２ｂ】
0005336253.tif 000004
【図３ａ】
0005336253.tif 000005
【図３ｂ】
0005336253.tif 000006
【図４】
0005336253.tif 000007
【図５】
0005336253.tif 000008
【図６】
0005336253.tif 000009